(57)【要約】【課題】パネル管面の温度が高温であるか低温であるかに関わらず、安定して正常な表示を行うプラズマディスプレイパネルの駆動方法を提供する。【解決手段】オンセルリセットが行われるリセット期間の直前の維持放電期間において、温度検出手段により検出された温度が所定の温度Ｔａよりも高温の場合は、走査電極を陽極とし維持電極を陰極として、維持パルス５５ａ、５５ｂを印加して維持放電期間を終了する第１の維持放電波形を適用し、所定の温度Ｔａよりも低温の場合は、維持電極を陽極とし走査電極を陰極として、維持パルス５６ａ、５６ｂを印加した後、維持電極に徐々に下降する波形の維持電極調整パルス５７ｂを印加して維持放電期間を終了する第２の維持放電波形を適用する。【選択図】図１
2010032593.tif 000002
【特許請求の範囲】
【請求項１】
前面ガラス基板上に並行に配置された走査電極と維持電極とを有する前面基板と、背面ガラス基板上に前記走査電極および前記維持電極と交差する方向に配置されたアドレス電極を有する背面基板とが対向して配置されることにより、前記前面基板と前記背面基板との間にセルを形成するプラズマディスプレイパネルと、
前記走査電極に電圧を印加する走査電極駆動回路と、
前記維持電極に電圧を印加する維持電極駆動回路と、
前記アドレス電極に電圧を印加するアドレス電極駆動回路と、
前記各駆動回路の動作を制御する制御回路とを有し、
前記セルを発光させて画像を表示する際に、１つのフィールドを時間的に複数に分割したサブフィールド毎に
前記セル内の電荷量を調整するリセット期間と、
発光する前記セルを選択するアドレス期間と、
前記走査電極と前記維持電極の少なくとも一方に維持パルスを印加して、前記走査電極と前記維持電極との間で繰り返し維持放電を行うことで選択された前記セルを発光させる維持放電期間とを有し、
前記リセット期間において、直前の前記サブフィールドにおける前記セル内の電荷の状態に関わらず全ての前記セルに対して電荷量を調整する全セルリセットと、
直前の前記サブフィールドにおいて対象の前記セルが点灯していた場合にのみ電荷量を調整するオンセルリセットのいずれか一方を行う、プラズマディスプレイパネルの駆動方法であって、
前記プラズマディスプレイパネルに管面の温度を検出する温度検出手段を設け、
１つの前記フィールドのうち少なくとも１つ以上の、前記オンセルリセットが行われる前記リセット期間の直前の前記維持放電期間において、
前記温度検出手段により検出された温度が所定の温度Ｔａよりも高温の場合は、前記走査電極が陽極、前記維持電極が陰極となるように前記維持パルスを印加して前記維持放電期間を終了する第１の維持放電波形を適用し、
前記温度検出手段により検出された温度が所定の温度Ｔａよりも低温の場合は、前記維持電極が陽極、前記走査電極が陰極となるように前記維持パルスを印加した後、前記維持電極に徐々に下降する波形の維持電極調整パルスを印加して、前記維持放電期間を終了する第２の維持放電波形を適用することを特徴とするプラズマディスプレイパネルの駆動方法。
【請求項２】
請求項１に記載のプラズマディスプレイパネルの駆動方法において、
前記第２の維持放電波形の終了時に前記維持電極に前記維持電極調整パルスを印加する際に、
前記維持電極調整パルスの到達電位を、前記維持電極における前記維持パルスの負方向の到達電位よりも低い電位とすることを特徴とするプラズマディスプレイパネルの駆動方法。
【請求項３】
請求項１に記載のプラズマディスプレイパネルの駆動方法において、
前記第２の維持放電波形の終了時に前記維持電極に前記維持電極調整パルスを印加する際に、
対応する前記走査電極において、前記維持電極調整パルスの印加時に前記走査電極に印加する前記維持パルスの電位を、当該サブフィールド内の前記走査電極に印加する他の前記維持パルスの正方向の電位よりも高い電位とすることを特徴とするプラズマディスプレイパネルの駆動方法。
【請求項４】
請求項１に記載のプラズマディスプレイパネルの駆動方法において、
前記リセット期間に前記オンセルリセットを行う際に、
前記走査電極に印加する徐々に下降する波形の走査電極リセットパルスの到達電位と、前記維持電極に印加する維持電極補償電圧の少なくとも一方が、
前記第１の維持放電波形が適用された前記維持放電期間の直後の前記リセット期間と、前記第２の維持放電波形が適用された前記維持放電期間の直後の前記リセット期間とでは異なることを特徴とするプラズマディスプレイパネルの駆動方法。
【請求項５】
請求項４に記載のプラズマディスプレイパネルの駆動方法において、
前記第１の維持放電波形が適用された前記維持放電期間の直後の前記リセット期間における前記走査電極リセットパルスの到達電位が、前記第２の維持放電波形が適用された前記維持放電期間の直後の前記リセット期間における前記走査電極リセットパルスの到達電位よりも低いことを特徴とするプラズマディスプレイパネルの駆動方法。
【請求項６】
請求項１に記載のプラズマディスプレイパネルの駆動方法において、
前記温度検出手段として、前記走査電極駆動回路もしくは前記維持電極駆動回路もしくは前記アドレス電極駆動回路の基板上、もしくは前記制御回路の基板上、もしくは前記プラズマディスプレイパネルを貼り付けるシャーシ上のいずれかに設置されたサーミスタを用いることを特徴とするプラズマディスプレイパネルの駆動方法。
【請求項７】
請求項１に記載のプラズマディスプレイパネルの駆動方法において、
前記温度検出手段によって検出された温度に基づいて、前記維持放電期間に前記第１の維持放電波形と前記第２の維持放電波形とを切り替えて適用する際に、
前記所定の温度Ｔａに対して切り替え温度Ｔ１、Ｔ２をＴ１＞Ｔａ＞Ｔ２となるように設定し、
温度上昇時には、前記温度検出手段によって検出された温度が前記切り替え温度Ｔ１より高温となった場合に、前記第２の維持放電波形から前記第１の維持放電波形に切り替えて前記維持放電期間に適用し、
温度下降時には、前記温度検出手段によって検出された温度が前記切り替え温度Ｔ２より低温となった場合に、前記第１の維持放電波形から前記第２の維持放電波形に切り替えて前記維持放電期間に適用することを特徴とするプラズマディスプレイパネルの駆動方法。
【発明の詳細な説明】
【技術分野】
【０００１】
本発明は、ＴＶやモニタに使用可能なプラズマディスプレイパネルに関し、特に、プラズマディスプレイパネルの駆動方法に適用して有効な技術に関するものである。
【背景技術】
【０００２】
プラズマディスプレイパネル（以下ではＰＤＰと記載する場合がある）を用いたプラズマディスプレイ装置は、液晶ディスプレイに比べ高速応答性、広視野角を有し、大型化が比較的容易であることや、自発光型であるため高画質表示が可能であるなどの特性を持ち、ＴＶやモニタなどに広く使用されている。
【０００３】
ＰＤＰの発光原理は、維持電極、走査電極間に印加する維持パルスによって放電セルにおいて維持放電を発生させ、励起された放電ガスから発生する紫外線を蛍光体によって可視光に変換するというものである。ＰＤＰで階調を有する映像を表示する場合、１フィールドを複数のサブフィールドに時間的に分割し、各サブフィールドに重み付けされた値に応じた回数の維持パルスを印加することにより、パルス数に応じた明るさ（輝度）で放電セルを発光させる。
【０００４】
各サブフィールドは、リセット期間、アドレス期間、維持放電期間から構成される。リセット期間において各セルの帯電分布を初期化するリセット処理が行われ、アドレス期間において点灯される放電セルを選択するためのアドレス放電が行われ、維持放電期間において維持パルスにより表示のための維持放電が行われる。
【０００５】
リセット期間においては、国際公開第２００８／１８１２５号パンフレット（特許文献１）に記載されているように、通常、各フィールドの最初のサブフィールドでは、全セルに対する書き込み放電を有する全セルリセットが行われ、以降のサブフィールドでは、各セルについて直前の維持放電期間で維持放電を行った場合にのみリセット放電を行うオンセルリセットが行われる。
【特許文献１】国際公開第２００８／１８１２５号パンフレット
【発明の開示】
【発明が解決しようとする課題】
【０００６】
上記特許文献１に記載されているようなオンセルリセットを用いた場合、パネル構造の条件によっては、パネル管面の温度の高低により、アドレス放電時に誤放電が発生し表示不良となる場合がある。
【０００７】
例えば、アドレス期間において、ある非点灯セルの左右両側に隣接するセルが点灯セルだった場合、隣接する点灯セルにおけるアドレス放電から非点灯セルに電荷がもれてきて、維持放電には至らないが、非点灯セルでも微小な誤放電が発生してしまう。これによって、非点灯セル内に余分な壁電荷が形成され、この余分な壁電荷を保持したままアドレス期間に入ると、当該セルではアドレス放電が安定しなくなり、ちらつき等の表示不良となる場合がある。
【０００８】
パネル管面が高温のときはこの現象は発生しにくい。これは電荷リーク現象の影響を受けているためと考えられている。電荷リーク現象とは、アドレス期間において、他のラインをスキャンしている時のアドレス電極に電圧を印加することにより、アドレス電極と走査電極との間で、アドレス放電には至らない微弱な放電が発生し、走査電極上の余分な壁電荷を打ち消す現象である。そのためアドレス放電は安定し、ちらつき等の表示不良が起こりにくい。
【０００９】
これに対し、パネル管面が低温のときは電荷リーク現象が起こりにくく、電荷リーク現象の影響が小さくなるため、非点灯セル内の余分な壁電荷が残る。そのためアドレス放電が安定せず、ちらつき等の表示不良となる場合がある。
【００１０】
このように、ＰＤＰでは温度によってパネルの放電特性が大きく変化する。特に、高温時に発生する、アドレス期間中の走査電極とアドレス電極との間の微小放電による壁電荷の減少（電荷リーク現象）の影響を受けるか否かにより、表示不良（誤点灯、誤消灯）を起こす場合がある。
【００１１】
そこで本発明の目的は、パネル管面の温度が高温であるか低温であるかに関わらず、安定して正常な表示を行うプラズマディスプレイパネルの駆動方法を提供することにある。本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、以下のとおりである。
【００１３】
本発明の代表的な実施の形態によるプラズマディスプレイパネルの駆動方法は、温度検出手段によりパネルの管面の温度を検出し、パネル管面が高温の時には、維持放電期間の最後に、アドレス電極と走査電極との間に壁電荷を多く残す維持放電波形を適用し、パネル管面が低温の時には、維持放電期間の最後にアドレス電極と走査電極との間に壁電荷を少なく残す維持放電波形に切り替えることを特徴とするものである。
【発明の効果】
【００１４】
本願において開示される発明のうち、代表的なものによって得られる効果を簡単に説明すれば以下のとおりである。
【００１５】
本発明の代表的な実施の形態によれば、パネル管面の温度によって異なる電荷リーク現象の影響を吸収し、パネル管面の温度や温度の変化によらず、安定したプラズマディスプレイパネルの表示を行うことが可能となる。
【発明を実施するための最良の形態】
【００１６】
以下、本発明の実施の形態を図面に基づいて詳細に説明する。なお、実施の形態を説明するための全図において、同一部には原則として同一の符号を付し、その繰り返しの説明は省略する。また、以下においては、本発明の特徴を分かり易くするために、従来の技術と比較して説明する。
【００１７】
＜ＰＤＰ（基本構造）＞
図４は、代表的なＰＤＰの基本構造の一例を示した分解斜視図である。図４では、画素に対応する表示セルのセット（Ｃｒ、Ｃｇ、Ｃｂ）の部分を示している。なお、説明のために、ｘ方向（第１方向、横方向）、ｙ方向（第２方向、縦方向）、ｚ方向（第３方向、パネル面垂直方向）を図示している。
【００１８】
ＰＤＰ１は、前面基板１０と、背面基板２０とを組み合わせて成り、その間に放電空間２６を有する。前面基板１０においては、前面ガラス基板１１上に、ｘ方向に表示電極１２（１２Ｘ、１２Ｙ）群が配置されている。表示電極１２は、スキャンパルスを印加する走査電極１２Ｙと、走査電極１２Ｙとの間で繰り返し維持放電を行う維持電極１２Ｘとを有する。表示電極１２（１２Ｘ、１２Ｙ）は、例えば、透明電極とバス電極とからなる。前面ガラス基板１１上で、表示電極１２群は、誘電体層１３により覆われている。誘電体層１３上に、さらに保護層１４が形成されている。誘電体層１３および保護層１４は、ＰＤＰ１の表示領域（画面）に対応した全面に形成されている。
【００１９】
前面基板１０と対向して配置された背面基板２０においては、背面ガラス基板２１上に、表示電極１２と交差するｙ方向にアドレス電極２２群が配置されている。アドレス電極２２群は、誘電体層２３に覆われている。誘電体層２３上には、縦隔壁２４Ａ、横隔壁２４Ｂによって格子状に隔壁２４が形成されている。隔壁２４は、放電空間２６を単位発光領域（表示セル）毎に区画している。アドレス電極２２の上方（ｚ方向）の隔壁２４で区画された領域には、赤色（Ｒ）、緑色（Ｇ）、青色（Ｂ）の各色の可視光を発光する蛍光体（蛍光体層）２５（２５ｒ、２５ｇ、２５ｂ）が、区画毎に順に色分けして形成されている。隔壁２４によって区画された各放電空間２６は、維持電極１２Ｘ、走査電極１２Ｙと、アドレス電極２２の各交差部分に対応している。
【００２０】
前面基板１０と背面基板２０とが貼り合わされることによって形成される内部領域には、放電ガス（例えばＮｅに数％程度のＸｅを混合したガス）が封入されることで、気密な放電空間２６が構成される。ＰＤＰ１の周縁部は、封着材により貼り合わされる。
【００２１】
ＰＤＰ１の駆動（サブフィールド法およびアドレス表示分離方式）においては、選択する表示セルで、アドレス電極２２と走査電極１２Ｙとの間に電圧印加により放電（アドレス放電）を発生させる（アドレス期間）。また、選択された表示セルに対して、対をなす維持電極１２Ｘと走査電極１２Ｙの間に電圧印加により放電（維持放電）を発生させる（維持放電期間）。このとき生じる紫外線によって、蛍光体層２５を励起して各色を発光する。これらにより、サブフィールドの所望の表示セルにおける発光（点灯）が行われる。また、フィールド中での点灯するサブフィールドを選択することで、画素（表示セル）の輝度が表現される。
【００２２】
＜ＰＤＰ（駆動回路・駆動波形）＞
図５は、代表的なプラズマディスプレイ装置におけるＰＤＰの駆動回路構成の一例を示した図である。ＰＤＰの駆動回路は、各回路に電圧を供給する電源回路４１、制御信号を送信する制御回路４２、維持電極駆動回路３１、走査電極駆動回路３２、およびアドレス回路４３から構成される。各回路はそれぞれ図４に示した維持電極１２Ｘ、走査電極１２Ｙ、アドレス電極２２に接続され、各電極に電圧を印加している。この印加電圧を縦軸に、時間を横軸にしたものが駆動波形となる。
【００２３】
図６は、代表的なプラズマディスプレイ装置におけるＰＤＰの駆動波形の概略図である。１フィールドは、通常複数個のサブフィールドで構成されている。各サブフィールドはリセット期間、アドレス期間、維持放電期間から構成される。リセット期間においては、通常、前述した特許文献１に記載されているように、各フィールドの最初のサブフィールドでは、全セルに対する書き込み放電を有する全セルリセットが行われ、以降のサブフィールドでは、各セルについて直前の維持放電期間で維持放電を行った場合にのみリセット放電を行うオンセルリセットが行われる。
【００２４】
ＰＤＰの表示品質においては、リセット期間の放電による背景発光を低減し、コントラストを向上させることが求められている。ここで、全セルリセットは、直前の維持放電期間での放電状態に依存せず全セルを強制的にリセットするもので、必ず放電を伴う。一方、オンセルリセットは、直前の維持放電期間に維持放電があったセルのみリセット放電が生じ、維持放電が無かったセルでは放電が生じないため、背景発光の増大につながらない。
【００２５】
図６における第１サブフィールドにおいて、全セルリセットを行うリセット期間の駆動波形の構成は、最初の書き込み期間において、全セルに電荷を形成するために走査電極１２Ｙに徐々に電圧が上がる走査電極書き込みパルス５１ａを印加する。続く補償期間では、セル内に形成された電荷を必要量残してリセットするために、走査電極１２Ｙに徐々に電圧が下がる走査電極リセットパルス５２ａを印加する。このとき維持電極１２Ｘには、維持電極補償電圧５２ｂを印加して壁電荷の調整をする。
【００２６】
次のアドレス期間では、表示したいセルに壁電荷を形成するため、次のようなアドレス動作を行う。アドレス期間中では走査電極１２Ｙに走査電極補償電圧５３ａを印加しておき、各走査電極１２Ｙに順番に走査電極補償電圧５３ａよりも低い電圧である走査パルス５４ａを印加する。このとき、走査パルス５４ａに合わせて、表示させたいセルのアドレス電極２２にアドレスパルス５４ｃを印加する。走査パルス５４ａとアドレスパルス５４ｃが同時に印加されたセルではアドレス放電が発生し、走査電極１２Ｙ、維持電極１２Ｘ上に壁電荷を形成する。
【００２７】
次の維持放電期間では、上述のアドレス放電で形成した壁電荷を利用して維持放電を発生させる。このとき、走査電極１２Ｙと維持電極１２Ｘに維持パルス５５ａ、５５ｂ、５６ａ、５６ｂを繰り返し印加することで放電を維持する。
【００２８】
第２サブフィールド以降のリセット期間では、リセット時に全セルに対する書き込み放電を行わないオンセルリセット方式を適用する。
【００２９】
＜概要＞
上述のオンセルリセットにおいて、上記特許文献１に記載されているようなオンセルリセットを用いた場合、前述したように、パネル構造の条件によっては、パネル管面の温度の高低によって、アドレス放電時に誤放電が発生し表示不良となる場合がある。
【００３０】
図７は、代表的なＰＤＰにおける、アドレス放電時に誤放電が発生する一例を説明する図である。例えば、アドレス期間において、ある非点灯セル６２の左右両側に隣接するセルが点灯セル６１だった場合、隣接する点灯セル６１におけるアドレス放電から非点灯セル６２に電荷がもれてきて、維持放電には至らないが、非点灯セル６２でも微小な誤放電が発生してしまう。これによって、非点灯セル６２内の走査電極１２Ｙ、維持電極１２Ｘ上に余分な壁電荷が形成されてしまう。次のサブフィールドにおけるリセット期間がオンセルリセットであり、上記の余分な壁電荷を保持したままアドレス期間に入ると、当該セルではアドレス放電が安定に発生できなくなり、ちらつき等の表示不良となる場合がある。
【００３１】
パネル管面が高温のときはこの現象は発生しにくい。これは電荷リーク現象の影響を受けているためと考えられている。電荷リーク現象とは、前述したように、アドレス期間において、他のラインをスキャンしている時のアドレス電極２２に電圧を印加することにより、アドレス電極２２と走査電極１２Ｙとの間で、アドレス放電には至らない微弱な放電が発生し、走査電極１２Ｙ上の壁電荷を打ち消す現象である。図７の例の場合でも、走査電極１２Ｙ上に形成された余分な壁電荷が打ち消されるためアドレス放電は安定し、ちらつき等の表示不良が起こりにくい。
【００３２】
これに対し、パネル管面が低温のときは電荷リーク現象が起こりにくく、電荷リーク現象の影響が小さくなるため、非点灯セル６２内の余分な壁電荷が残る。そのためアドレス放電が安定せず、ちらつき等の表示不良となる場合がある。
【００３３】
パネル管面が低温である場合に、上記のちらつき等の表示不良を起こりにくくする方法として、維持放電期間の最後において、走査電極１２Ｙが陽極、維持電極１２Ｘが陰極となる微小放電を発生させ、両電極上の壁電荷を減少させて維持放電期間を終了し、次のリセット期間のオンセルリセットを通過させる。これにより、非点灯セル６２では走査電極１２Ｙ上に余分な壁電荷が少ない状態でアドレス期間に入るため、アドレス放電が安定し、ちらつき等の表示不良が改善される。
【００３４】
しかし、パネル管面が高温である場合にも上記のような維持放電波形をそのまま用いると、高温時の動作特性に基づいてＰＤＰや駆動回路の全体系を設計している場合に整合性が取れなくなってしまう。逆の場合も同様である。そこで、本発明の一実施の形態であるＰＤＰおよびその駆動回路では、パネルの管面温度を検出し、高温時と低温時とで維持放電期間の終了部分の波形を切り替えることにより、パネル管面が高温であるか低温であるかに関わらず安定して正常な表示を行う。
【００３５】
以下では、図６、図７に示した、パネル管面が高温の場合にアドレス放電が安定して表示不良が少なくなる駆動波形における維持放電波形を第１の維持放電波形とし、上述した、パネル管面が低温の場合にアドレス放電を安定させて表示不良を改善する維持放電波形を第２の維持放電波形とする。
【００３６】
＜実施の形態＞
以下、本発明の一実施の形態であるプラズマディスプレイ装置について説明する。図１は、本実施の形態のプラズマディスプレイ装置におけるＰＤＰの駆動波形の例を示す図である。当該駆動波形は、オンセルリセットを含む部分の波形を示しており、リセット期間において、直前のサブフィールドにおける維持放電期間で点灯していたセルでのみ補償放電が発生するものである。
【００３７】
図１（ａ）に示す第１の維持放電波形は、パネル管面が高温時に適用する波形である。維持放電期間の最後で、走査電極１２Ｙに維持パルス５５ａを印加した後、リセット期間に入る。リセット期間では、走査電極１２Ｙ上の負の壁電荷と維持電極１２Ｘ上の正の壁電荷がある状態から、走査電極１２Ｙに徐々に電圧が下がる走査電極リセットパルス５２ａを印加することで、維持電極１２Ｘ上にある正の壁電荷と微小放電を起こし、セル内に形成された壁電荷を調整する。続くアドレス期間では、走査電極１２Ｙには走査パルス５４ａを印加するとき以外では放電させないために走査電極補償電圧５３ａを印加し、走査電極１２Ｙ上に負の壁電荷を維持させる。
【００３８】
例えば、図７において前述したように、アドレス期間中に非点灯セル６２に余分な壁電荷がもれてきてしまった場合でも、この第１の維持放電波形では、パネル管面が高温の時には電荷リーク現象の影響を受け、アドレス電極２２と走査電極１２Ｙとの間で、放電には至らない微弱な放電が発生し、走査電極１２Ｙ上の余分な壁電荷を打ち消すためにアドレス放電が安定化する。しかし、パネル管面が低温の時には電荷リーク現象の影響を受けないために、走査電極１２Ｙ上の余分な壁電荷が打ち消されず、ちらつき等の表示不良の原因となる。
【００３９】
この表示不良を改善するための手段として、パネル管面が低温時は、図１（ｂ）に示すような第２の維持放電波形を用いる。第２の維持放電波形では、維持放電期間の最後で維持電極１２Ｘに維持パルス５６ｂを印加し、さらに維持電極１２Ｘに徐々に電圧が下がる維持電極調整パルス５７ｂを印加する。これにより、第１の維持放電波形のときとは異なり、走査電極１２Ｙが陽極、維持電極１２Ｘが陰極となる微小放電を発生させることによって、走査電極１２Ｙ上に少ない負の壁電荷が、維持電極１２Ｘ上に少ない正の壁電荷がある状態となる。
【００４０】
このとき、徐々に電圧が下がる維持電極調整パルス５７ｂを印加する際に、維持電極１２Ｘと走査電極１２Ｙとの間の電位差が、通常の矩形波の維持パルス（５５ａと５５ｂ、および５６ａと５６ｂの対）において維持放電が発生する電圧（維持放電電圧）よりも大きくなるように印加する。これにより、走査電極１２Ｙ上の壁電荷が正から負に反転する程度に微少放電を発生させる。なお、図１（ｂ）の例では、維持電極調整パルス５７ｂの到達電位を低くして維持電極１２Ｘの電位を下げることにより電位差を大きくしているが、対応する維持パルス５５ａの到達電位を高くして走査電極１２Ｙの電位を上げることにより電位差を大きくしてもよい。また、これらの組み合わせにより電位差を大きくしてもよい。
【００４１】
続くリセット期間では、走査電極１２Ｙに徐々に電圧が下がる走査電極リセットパルス５２ａを印加することで、アドレス電極２２との間で微小放電を起こし、セル内に形成された壁電荷を調整する。
【００４２】
続くアドレス期間では、第１の維持放電波形と同様に、走査電極１２Ｙには走査パルス５４ａを印加するとき以外では放電させないために走査電極補償電圧５３ａを印加し、走査電極１２Ｙ上に負の壁電荷を維持させる。第２の維持放電波形は、第１の維持放電波形と比べるとアドレス期間時に走査電極１２Ｙに溜まっている壁電荷の量が少ない。このため、パネル管面が低温で電荷リーク現象の影響を受けないときに、アドレス放電が安定化する。
【００４３】
しかし、パネル管面が高温時に第２の維持放電波形を用いると、電荷リーク現象の影響を受けるためにアドレス放電ができず、点灯するべきセルであっても点灯できなくなるという不具合が生じ得る。そこで、図１（ａ）に示す第１の維持放電波形を高温時に適用し、図１（ｂ）に示す第２の維持放電波形を低温時に適用することで、パネル管面の温度の変化に対応した、安定したＰＤＰでの表示を可能とする。
【００４４】
図２は、本実施の形態のプラズマディスプレイ装置における駆動回路構成の一例を示した図である。上述したように、パネル管面の温度変化に対応して維持放電波形を切り替えるため、図２に示す駆動回路構成に対して、例えば、制御回路４２の基板上にサーミスタ４４を設置する。なお、図２の例では、サーミスタ４４を制御回路４２の基板上に設置しているが、これに限らず、維持電極駆動回路３１、走査電極駆動回路３２やアドレス回路４３の基板上に設置したり、ＰＤＰを貼り付けるシャーシ上に設置したりしてもよい。
【００４５】
サーミスタ４４によって検出した温度に応じて、制御回路４２によって、第１の維持放電波形（図１（ａ））と第２の維持放電波形（図１（ｂ））とを切り替える。このとき、予めサーミスタ４４での検出温度とパネル管面の温度との相関を把握しておく。例えば、パネル管面の高温と低温の閾値温度をＴａ＝６５℃とした場合、パネル管面が６５℃以上に対応するサーミスタ４４での検出温度では、第１の維持放電波形（図１（ａ））を適用し、一方、パネル管面が６５℃以下に対応するサーミスタ４４での検出温度では、第２の維持放電波形（図１（ｂ））を適用する。
【００４６】
なお、パネル管面の温度が６５℃近傍で停滞して微少変動する場合、駆動波形の切り替わりが頻繁に繰り返されてしまい、駆動・表示の安定性が低下することが懸念される。そこで、例えば、温度上昇時は、パネル管面の閾値温度Ｔ１＝７０℃で第２の維持放電波形から第１の維持放電波形に切り替え、温度下降時は、パネル管面の閾値温度Ｔ２＝６０℃で第１の維持放電波形から第２の維持放電波形に切り替える。このように、維持放電波形の切り替えの判断の際に、ヒステリシスを持たせることが望ましい。
【００４７】
さらに、リセット期間中に走査電極１２Ｙに印加する、徐々に電圧が下がる走査電極リセットパルス５２ａの到達電位と、維持電極補償電圧５２ｂの到達電位の少なくとも一方を、図３に示すように、第１の維持放電波形と第２の維持放電波形との切り替えに合わせて可変とし、それぞれに適した値にすることで、さらに広い駆動マージンを得ることができる。
【００４８】
図３は、本実施の形態のプラズマディスプレイ装置におけるＰＤＰの駆動波形の別の例を示した図である。図３（ａ）に示す第１の維持放電波形では、アドレス期間に走査電極１２Ｙ上の壁電荷の量が多いため、走査電極リセットパルス５２ａの到達電位の最適値はより低い電位である。一方、図３（ｂ）に示す第２の維持放電波形では、アドレス期間に走査電極１２Ｙ上の壁電荷が少ない状態から補償放電を発生させる必要があるため、走査電極リセットパルス５２ａの到達電位の最適値はより高い電位となる。
【００４９】
以上に説明したように、本実施の形態のプラズマディスプレイ装置における駆動回路によれば、パネル管面の温度に対応して、ヒステリシスを考慮して第１の維持放電波形と第２の維持放電波形とを切り替えることで、アドレス放電を安定に発生させることができる。これにより、パネル管面の温度や温度の変化によらずに、安定したＰＤＰでの表示を行うことが可能となり、パネル管面の温度の変化によって発生する表示不良（誤点灯、誤消灯）を改善することができ、極めて有用である。
【００５０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５１】
本発明は、ＴＶやモニタに使用可能なプラズマディスプレイパネルに利用可能である。
【図面の簡単な説明】
【００５２】
【図１】本発明の一実施の形態のプラズマディスプレイ装置におけるＰＤＰの駆動波形の例を示す図である。
【図２】本発明の一実施の形態のプラズマディスプレイ装置における駆動回路構成の一例を示した図である。
【図３】本発明の一実施の形態のプラズマディスプレイ装置におけるＰＤＰの駆動波形の別の例を示した図である。
【図４】代表的なＰＤＰの基本構造の一例を示した分解斜視図である。
【図５】代表的なプラズマディスプレイ装置におけるＰＤＰの駆動回路構成の一例を示した図である。
【図６】代表的なプラズマディスプレイ装置におけるＰＤＰの駆動波形の概略図である。
【図７】代表的なＰＤＰにおける、アドレス放電時に誤放電が発生する一例を説明する図である。
【符号の説明】
【００５３】
１…ＰＤＰ、１０…前面基板、１１…前面ガラス基板、１２…表示電極、１２Ｘ…維持電極、１２Ｙ…走査電極、１３…誘電体層、１４…保護層、２０…背面基板、２１…背面ガラス基板、２２…アドレス電極、２３…誘電体層、２４…隔壁、２４Ａ…縦隔壁、２４Ｂ…横隔壁、２５（２５ｒ、２５ｇ、２５ｂ）…蛍光体層、２６…放電空間、
３１…維持電極駆動回路、３２…走査電極駆動回路、４１…電源回路、４２…制御回路、４３…アドレス回路、４４…サーミスタ、
５１ａ…走査電極書き込みパルス、５２ａ…走査電極リセットパルス、５２ｂ…維持電極補償電圧、５３ａ…走査電極補償電圧、５４ａ…走査パルス、５５ａ、５５ｂ、５６ａ、５６ｂ…維持パルス、５７ｂ…維持電極調整パルス、
６１…点灯セル、６２…非点灯セル。
【図１】
2010032593.tif 000003
【図２】
2010032593.tif 000004
【図３】
2010032593.tif 000005
【図４】
2010032593.tif 000006
【図５】
2010032593.tif 000007
【図６】
2010032593.tif 000008
【図７】
2010032593.tif 000009